(57)【特許請求の範囲】
【請求項１】
商品製造ラインに配置される組合せ計量装置または包装装置であって、
前記組合せ計量装置または包装装置に行わせる操作内容を示す操作画面と、前記操作内容を手順通りに案内する案内画面とを表示する表示部と、
前記操作画面に表示され、前記操作内容を入力する操作部と、
前記案内画面を表示するか否かを選択する選択手段と、
を備え、
前記表示部は、前記選択手段によって前記案内画面の表示が選択された場合には、前記操作画面において前記操作部の操作ボタンの数を減らして表示する、
組合せ計量装置または包装装置。
【請求項２】
前記表示部は、前記操作画面または前記案内画面において前記組合せ計量装置または包装装置を３次元的に表示する、
請求項１に記載の組合せ計量装置または包装装置。
【請求項３】
前記表示部は、前記操作画面または前記案内画面において前記組合せ計量装置または包装装置の動作をアニメーションで表示する、
請求項１また２に記載の組合せ計量装置または包装装置。
【請求項４】
前記組合せ計量装置または包装装置の操作を行う使用者の操作レベルと、前記操作レベルに対応した前記案内画面の表示の可否とを記憶する記憶手段をさらに備え、
前記選択手段は、前記記憶手段が記憶する前記案内画面の表示の可否に基づき前記案内画面を表示する、
請求項１に記載の組合せ計量装置または包装装置。
【請求項５】
前記案内画面では、前記操作内容の意義および操作を行った場合の結果の説明が表示される、
請求項１から４のいずれかに記載の組合せ計量装置または包装装置。
【発明の詳細な説明】
【０００１】
【発明の属する技術分野】
本発明は、商品製造ラインに配置される組合せ計量装置または包装装置に関する。
【０００２】
【従来の技術】
工業製品や食品等の商品製造ラインにおいて、種々の商品製造装置が配置され利用されている。例えば、商品の計量を行う計量装置、商品の包装を行う包装装置、完成した商品を箱詰めするケースパッカーなどが商品製造ラインに配置され利用されている。
【０００３】
これらの商品製造装置は、操作画面を表示する表示部と、操作内容を入力する操作部とを備えることが多い。そして、操作画面には、商品製造装置に行わせる操作内容が表示される。例えば、上記の計量装置では、計量動作を開始するスタート表示や、計量を行う部分の零点補正、計量範囲、計量速度等の設定表示などが操作画面に表示される。これらの操作内容については、通常、商品製造装置の説明書に詳しい説明が記載されており、商品製造装置の操作を行う使用者は、説明書を参照して、商品製造装置の操作内容を入力する。
【０００４】
また、表示部には、操作が行われている商品製造装置の平面図が表示されることも多い。このような図により、使用者は操作内容を容易に理解することができ、商品製造装置の操作を行いやすくなっている。
【０００５】
【発明が解決しようとする課題】
しかし、使用者によっては、商品製造装置の操作内容について熟知しておらず、正しい操作を行っていない場合がある。特に、商品製造装置の操作に不慣れな使用者の場合は、商品製造装置が適切に運転されるために必要な操作を行わずに商品製造装置の運転を行ってしまうことも考えられる。これでは、商品製造装置の運転を適切に行うことは難しい。上記の例で言えば、使用者は計量装置の零点補正を行わずにいきなり計量動作を開始してしまい、不正確な計量が行われる恐れがある。
【０００６】
また、表示部に商品製造装置の平面図が表示されるとしても、商品製造装置は構成や動作が複雑なものが多く、平面図では十分に表現できない場合もある。このような場合、使用者は操作内容を容易に理解することができるとは限らず、操作も行い難くなる恐れがある。
【０００７】
本発明の課題は、組合せ計量装置または包装装置に不慣れな使用者であっても適切に操作を行うことが出来る組合せ計量装置または包装装置を提供することにある。
【０００８】
【課題を解決するための手段】
請求項１に記載の組合せ計量装置または包装装置は、商品製造ラインに配置される組合せ計量装置または包装装置であって、表示部と操作部と選択手段とを備える。表示部は、組合せ計量装置または包装装置に行わせる操作内容を示す操作画面と、操作内容を手順通りに案内する案内画面とを表示する。操作部は、操作画面に表示され、操作内容を入力する。選択手段は、案内画面を表示するか否かを選択するためのものである。表示部は、選択手段によって案内画面の表示が選択された場合には、操作画面において操作部の操作ボタンの数を減らして表示する。なお、この組合せ計量装置または包装装置は、表示部が操作部を兼務する、いわゆるタッチパネル型の表示部を備えるものである。
【０００９】
この組合せ計量装置または包装装置では、表示部が組合せ計量装置または包装装置の操作内容を手順通りに案内する案内画面を表示する。このため、組合せ計量装置または包装装置の使用者は、案内画面の案内に従って操作内容を入力すればよい。これにより、この組合せ計量装置または包装装置では、不慣れな使用者であっても適切に操作を行うことが出来る。なお、商品製造ラインに配置される組合せ計量装置または包装装置は、比較的複雑な動作を行うものが多く、入力する操作内容も複雑になることが多いため、本発明は特に有効である。
【００１０】
また、この組合せ計量装置または包装装置では、選択手段により案内画面を表示するか否かを選択することができる。案内画面は、操作手順を案内してくれるため適切な操作を行うことができる点で便利であるが、使用者によっては組合せ計量装置または包装装置の操作内容を熟知しており案内画面が不要の場合もある。この組合せ計量装置または包装装置では、案内画面が不要の場合は案内画面を表示せず、案内画面が必要な場合は案内画面を表示することができる。このため、案内画面が不要の場合は案内画面を表示しないことにより効率的に組合せ計量装置または包装装置の操作を行うことができる。
【００１１】
請求項２に記載の組合せ計量装置または包装装置は、請求項１に記載の組合せ計量装置または包装装置であって、表示部は、操作画面または案内画面において組合せ計量装置または包装装置を３次元的に表示する。
【００１２】
この組合せ計量装置または包装装置では、表示部は操作画面または案内画面において組合せ計量装置または包装装置を３次元的に表示する。組合せ計量装置または包装装置は３次元的な動作を伴うものが多く、その構成を３次元的に概観することができれば、操作内容の理解もより容易になる。従って、この組合せ計量装置または包装装置では、使用者は組合せ計量装置または包装装置の操作内容をより容易に理解することができる。これにより、この組合せ計量装置または包装装置では、組合せ計量装置または包装装置に不慣れな使用者であっても適切に操作を行うことが出来る。
【００１３】
請求項３に記載の組合せ計量装置または包装装置は、請求項１また２に記載の組合せ計量装置または包装装置であって、表示部は、操作画面または案内画面において組合せ計量装置または包装装置の動作をアニメーションで表示する。
【００１４】
この組合せ計量装置または包装装置では、表示部は、操作画面または案内画面において組合せ計量装置または包装装置の動作をアニメーションで表示する。このため、使用者は、組合せ計量装置または包装装置の動作を容易に理解することができる。これにより、この組合せ計量装置または包装装置では、組合せ計量装置または包装装置に不慣れな使用者であっても適切に操作を行うことが出来る。特に、組合せ計量装置または包装装置は、比較的複雑な動作を行うものが多いため、アニメーションで表示することは理解の容易化にとって有効である。
【００１５】
請求項４に記載の組合せ計量装置または包装装置は、請求項１に記載の組合せ計量装置または包装装置であって、記憶手段をさらに備える。この記憶手段は、組合せ計量装置または包装装置の操作を行う使用者の操作レベルと操作レベルに対応した案内画面の表示の可否とを記憶する。そして、選択手段は、記憶手段が記憶する案内画面の表示の可否に基づき案内画面を表示する。
【００１６】
この組合せ計量装置または包装装置では、記憶手段が記憶する使用者のレベルに対応した案内画面の表示の可否に基づいて、選択手段が案内画面を表示する。このため、使用者の操作レベルが高く組合せ計量装置または包装装置について熟知している場合には案内画面を表示せず、使用者の操作レベルが低く組合せ計量装置または包装装置に不慣れな場合には案内画面を表示するなど、使用者の操作レベルに応じて案内画面の表示・非表示を自動的に行うことができる。これにより、使用者の操作レベルに応じて効率的に組合せ計量装置または包装装置の操作を行うことができる。
【００１７】
請求項５に記載の組合せ計量装置または包装装置は、請求項１から４のいずれかに記載の組合せ計量装置または包装装置であって、案内画面では、操作内容の意義および操作を行った場合の結果の説明が表示される。
【００１８】
【発明の実施の形態】
本発明の実施形態に係る組合せ計量装置１を図１に示す。組合せ計量装置１は、食品や工業製品などの商品を製造する商品製造ラインに配置される商品製造装置の一つであり、複数の商品を計量して所定の重量または個数の商品を排出する装置である。
【００１９】
＜構成＞
〔概要〕
組合せ計量装置の構成を示す側面視概略図を図２に示す。
【００２０】
組合せ計量装置１は、分散フィーダ２、放射フィーダ３、プールホッパ４、計量ホッパ５、集合排出シュート６、操作ボックス７および制御部８（図３参照）を備えている。放射フィーダ３、プールホッパ４、計量ホッパ５は、それぞれ円形に配置されている。
【００２１】
なお、関連する放射フィーダ３、プールホッパ４および計量ホッパ５をヘッドと呼ぶ。
【００２２】
〔組合せ計量装置１の各部の構成〕
分散フィーダ２は、扁平な円錐テーブル状の部材である。分散フィーダ２は、分散フィーダ２の上方に備えられる供給コンベア９０から被計量物の供給を受ける。分散フィーダ２は、その下部に有する図示しない電磁石により振動し、上面に供給された被計量物を周方向に分散させながら経方向に搬送し、放射フィーダ３に被計量物を供給する。
【００２３】
放射フィーダ３は、ステンレス鋼板を折り曲げて成形した板金製の部材であり、分散フィーダ２の周囲に配置されている。放射フィーダ３は、その下部に有する図示しない電磁石により振動し、被計量物を経方向に搬送し、同一のヘッドにあるプールホッパ４に被計量物を供給する。なお、各放射フィーダ３の搬送能力は、電磁石の振動振幅及び振動時間により調整される。これにより、各プールホッパ４に保持される被計量物の重量が既定の範囲内になるように制御される。
【００２４】
プールホッパ４は、各放射フィーダ３の先端部下方に配置されており、放射フィーダ３から供給された被計量物を一時的に貯め込む。プールホッパ４は、制御部８（後述）の指示により下部に設けられているゲート４ａを開け、同一のヘッドにある計量ホッパ５に被計量物を供給する。
【００２５】
計量ホッパ５は、各プールホッパ４の直下に配置されており、プールホッパ４から供給された被計量物の重量をロードセル９（図３参照）により計量する。計量ホッパ５は、制御部８（後述）の指示により下部に設けられているゲート５ａを開けることにより集合排出シュート６に排出する。
【００２６】
ロードセル９は、各計量ホッパ５に保持される被計量物を計量する重量計測器である。ロードセル９は、被計量物の計量結果である計量信号を制御部８（後述）へと送る。
【００２７】
集合排出シュート６は、計量ホッパ５から排出される被計量物を下方に集合させて排出する部材である。
【００２８】
操作ボックス７は、組合せ計量装置１の使用者への応対を行うための部材であり、組合せ計量装置１の設定などの入力や組合せ計量装置１の状態表示などを行う。操作ボックス７は、タッチパネル７０を備えている。タッチパネル７０は、例えば液晶ディスプレイ（ＬＣＤ）であって、「ＭＥＩＮ  ＭＥＮＵ」画面１０（操作画面）、「ＰＲＯＤＵＣＴＩＯＮ」画面４０、「ＡＳＳＩＳＴＡＮＴ」画面（案内画面）などを表示する。「ＭＥＩＮ  ＭＥＮＵ」画面１０や「ＰＲＯＤＵＣＴＩＯＮ」画面４０は、組合せ計量装置１に行わせる操作内容を示す画面であり、「ＡＳＳＩＳＴＡＮＴ」画面は、操作内容を手順通りに案内する画面である。これらの画面については後に詳述する。また、タッチパネル７０は、入力と表示の両方を兼ね備える部材であり、組合せ計量装置１の使用者は、タッチパネル７０に表示されるボタンなどを押すことにより組合せ計量装置１に対して入力を行う。
【００２９】
制御部８は、組合せ計量装置１の制御を行う。制御部８は、被計量物の組合せ計量を対象とした制御やタッチパネル７０上の画面の表示についての制御を行う。図３に制御のブロック図を示す。
【００３０】
制御部８は、ＣＰＵ（図示せず）やメモリ８０等を備える。制御部８は、分散フィーダ２、放射フィーダ３、プールホッパ４、計量ホッパ５および操作ボックス７と接続されており、各部の制御を行う。また、制御部８は、ロードセル９と接続されており、ロードセル９から計量信号を受ける。ロードセル９から受けた計量データはメモリ８０に記憶される。また、メモリ８０には画像データも記憶されており、制御部８は、メモリ８０に記憶された画像データをタッチパネル７０に表示させる。
【００３１】
＜計量動作＞
次に、組合せ計量装置１で行われる計量動作を図２に基づいて説明する。
【００３２】
まず、被計量物が、供給コンベア９０、分散フィーダ２、放射フィーダ３によりプールホッパ４に搬送される。各プールホッパ４の直下に設けられた計量ホッパ５のいずれかが空であるとき、制御部８は、空の計量ホッパ５と同一のヘッドにあるプールホッパ４のゲート４ａを開ける信号を送り、プールホッパ４に保持される被計量物を計量ホッパ５に供給する。
【００３３】
各計量ホッパ５に保持される被計量物は、各計量ホッパ５に備え付けられたロードセル９により計量される。各ロードセル９から出力された計量信号は、制御部８へと送られる。そして、ロードセル９の計量信号値を計量ホッパ５に保持される被計量物の重量としてメモリ８０に記憶させる。
【００３４】
制御部８は、メモリ８０に記憶されている組合せ演算プログラムに従って、各計量ホッパ５に保持される被計量物の重量値を元にして、既定の重量値になるように組合せ計算を行う。組合せ計算を行った結果、制御部８は、複数の計量ホッパ５を選択する。それにより、制御部８は、選択された計量ホッパ５のゲート５ａを開ける信号を送り、計量ホッパ５に保持される被計量物を集合排出シュート６に排出する。排出された被計量物は、後段の装置に供給され処理される。
【００３５】
＜タッチパネル７０表示＞
この組合せ計量装置１では、操作ボックス７のタッチパネル７０上に、組合せ計量装置１の状況や設定などの情報と組合せ計量装置１に行わせる操作内容とを示す画面が表示される。また、タッチパネル７０上には組合せ計量装置１に行わせる操作内容を指示するためのボタンが表示され、組合せ計量装置１の使用者は、画面上のボタンに触れることにより、該当する操作内容を入力することができる。
【００３６】
以下、タッチパネル７０上に表示される各種の画面について説明する。
【００３７】
なお、組合せ計量装置１の使用者としては、主として、商品の製造を行うために組合せ計量装置１を操作するオペレータと組合せ計量装置１のセットアップやメンテナンスを行うエンジニアとが考えられ、この組合せ計量装置１では、組合せ計量装置１の使用者は、使用目的や自らの操作レベルに応じて、表示される画面を選択することができる。
【００３８】
〔ＭＡＩＮ  ＭＥＮＵ画面〕
図４に「ＭＡＩＮ  ＭＥＮＵ」画面１０を示す。この「ＭＡＩＮ  ＭＥＮＵ」画面１０は、主として、オペレータが組合せ計量装置１の設定や操作を行うときに表示される画面である。オペレータは、この画面１０上に現れている複数のボタンのうちオペレータが希望する操作内容に対応したボタンに触れることにより、設定や操作内容を入力することができる。「ＭＡＩＮ  ＭＥＮＵ」画面１０には、組合せ計量装置１が３次元的に表現されたモデル１０ａと現在選択されているプリセット内容１０ｂとが表示されている。また、「ＭＡＩＮ  ＭＥＮＵ」画面１０には、「ＰＲＥＳＥＴ」ボタン１１０、「ＺＥＲＯ」ボタン１２０、「ＤＲＡＩＮ」ボタン１３０、「ＦＵＬＬ  ＯＰＥＮ」ボタン１４０、「ＰＲＩＮＴ」ボタン１５０、「ＰＯＷＥＲ」ボタン１６０、「ＳＴＡＲＴ」ボタン１７０および「ＡＳＳＩＳＴＡＮＴ」ボタン２００が表示されている。
【００３９】
「ＰＲＥＳＥＴ」ボタン１１０が押されると、図５に示す「ＳＥＬＥＣＴ  ＰＲＥＳＥＴ」画面１１が表示される。「ＳＥＬＥＣＴ  ＰＲＥＳＥＴ」画面１１は、プリセットされている設定から希望する設定を選択するための画面である。この画面１１上では、プリセット番号ごとに組合せ計量が行われる商品の製品名、目標重量、計量速度などが記された表１１ａが表示される。オペレータは、この画面１１上で希望する設定を選択し、入力する。画面上の「ＥＸＩＴ」ボタン１１１が押されると「ＭＡＩＮ  ＭＥＮＵ」画面１０へと戻る。
【００４０】
「ＺＥＲＯ」ボタン１２０が押されると、図６に示す「ＺＥＲＯ  ＡＤＪＵＳＴＭＥＮＴ」画面１２が表示される。「ＺＥＲＯ  ＡＤＪＵＳＴＭＥＮＴ」画面１２は、計量ホッパ５の零点補正を行うための画面である。この画面１２では、各計量ホッパ５が保持する被計量物の重量１２ａと、「ＲＥＳＴＡＲＴ」ボタン１２１および「ＥＸＩＴ」ボタン１２２とが表示される。各計量ホッパ５が保持する被計量物の重量１２ａは、実際の計量ホッパ５の配置に対応して円形に表示される。オペレータが「ＲＥＳＴＡＲＴ」ボタン１２１を押すことにより、各計量ホッパ５に対して零点補正が行われる。オペレータが「ＥＸＩＴ」ボタン１２２を押すと、「ＭＡＩＮ  ＭＥＮＵ」画面１０へと戻る。
【００４１】
「ＤＲＡＩＮ」ボタン１３０が押されると、図７に示す「ＤＲＡＩＮ」画面１３が表示される。「ＤＲＡＩＮ」画面１３は、計量ホッパ５が保持する被計量物を排出させるための画面である。この画面１３では、「ＺＥＲＯ  ＡＤＪＵＳＴＭＥＮＴ」画面１２と同様に、各計量ホッパ５が保持する被計量物の重量１３ａが表示される。オペレータは、画面上の「ＳＴＡＲＴ」ボタン１３１や「ＳＴＯＰ」ボタン１３２を押すことにより、計量ホッパ５が保持する被計量物を排出させることができる。オペレータが「ＥＸＩＴ」ボタン１３３を押すと、「ＭＡＩＮ  ＭＥＮＵ」画面１０へと戻る。
【００４２】
「ＦＵＬＬ  ＯＰＥＮ」ボタン１４０が押されると、図８に示す「ＦＵＬＬ  ＯＰＥＮ  ＬＯＣＫ  ＭＥＮＵ」画面１４が表示される。「ＦＵＬＬ  ＯＰＥＮ  ＬＯＣＫ  ＭＥＮＵ」画面１４は、組合せ計量装置１の各部材から被計量物を排出させるための画面である。この画面１４では、対象とする部材中に保持されている被計量物を「ＯＰＥＮ」ボタン１４１と「ＣＬＯＳＥ」ボタン１４２とにより対象とする部材から排出させることができる。また、画面上には分散フィーダ２、放射フィーダ３、プールホッパ４、計量ホッパ５および集合排出シュート６を示すボタン１４３，１４４，１４５，１４６，１４７が表示されており、オペレータは、これらのボタン１４３，１４４，１４５，１４６，１４７を押すことにより対象とする部材を選択することができる。また、ある部材が選択されると画面上に表示された３次元モデル１４ａの該当箇所の色が変わり、選択された部材をオペレータが認識しやすくなっている。例えば、図８においては、計量ホッパ５を示すボタン１４６が押されており、３次元モデル１４ａの計量ホッパに相当する箇所１４ｂの色が変化している。さらに、対象とする部材から被計量物が排出される場合、実際の組合せ計量装置１の動作が画面上のモデル１４ａのアニメーションで表現される。オペレータが「ＥＸＩＴ」ボタン１４８を押すと「ＭＡＩＮ  ＭＥＮＵ」画面１０へと戻る。
【００４３】
「ＰＲＩＮＴ」ボタン１５０が押されると、現在の設定などがプリントアウトされる。
【００４４】
「ＰＯＷＥＲ」ボタン１６０が押されると、組合せ計量装置１の駆動部分の電源のオン・オフが行われる。
【００４５】
「ＳＴＡＲＴ」ボタン１７０が押されると、組合せ計量装置１は設定されている条件で、組合せ計量を開始する。
【００４６】
「ＡＳＳＩＳＴＡＮＴ」ボタン２００が押されると、「ＡＳＳＩＳＴＡＮＴ」画面が表示される。「ＡＳＳＩＳＴＡＮＴ」画面については、以下に詳述する。
【００４７】
〔アシスタント機能の選択〕
組合せ計量装置１は、上記のように「ＭＡＩＮ  ＭＥＮＵ」画面１０から組合せ計量装置１の各種の操作を行うことができる。「ＭＡＩＮ  ＭＥＮＵ」画面１０では、複数の操作内容を示すボタンが表示され、各種の操作を集中して行うことができるため便利である。しかし、組合せ計量装置１の操作に不慣れなオペレータでは、どのボタンを押せばよいのか理解していないこともある。この組合せ計量装置１は、組合せ計量装置１を適切に操作するために必要な情報をタッチパネル７０上で説明するアシスタント機能を有している。以下、このアシスタント機能が発揮される「ＡＳＳＩＳＴＡＮＴ」画面について説明する。
【００４８】
まず、組合せ計量装置１の主電源がオンされると、図９に示す「ＡＣＣＥＳＳ  ＬＥＶＥＬ」画面３０が表示される。この画面では、「ＯＰＥＲＡＴＯＲ」ボタン２０１、「ＳＩＴＥ  ＥＮＧＩＮＥＥＲ」ボタン３１０、「ＩＮＳＴＡＬＬＡＴＩＯＮ」３１１ボタン、およびＭＡＩＮＴ  ＳＥＲＶＩＣＥ」ボタン３１２が表示される。これらのボタン２０１，３１０，３１１，３１２は、組合せ計量装置１の操作を行う使用者の操作レベルを選択するボタンであり、それぞれのレベルが、着色されるランプの数で示されている。なお、着色されたランプの数が多いほど使用者の操作レベルが高い、すなわち組合せ計量装置１の操作について熟知し理解していることを表す。「ＯＰＥＲＡＴＯＲ」ボタン２０１は製造ラインで作業する通常のオペレータが選択するボタンである。他のボタン３１０，３１１，３１２は、オペレータよりも操作レベルが高く組合せ計量装置１の設置や保守作業を行うエンジニアが選択するボタンである。なお、制御部８のメモリ８０には、それぞれの操作レベルと操作レベルごとに設定された「ＡＳＳＩＳＴＡＮＴ」画面の表示の可否とが記憶されており、この画面３０で選択された操作レベルに応じて次に表示される画面が決定される。ここでは、「ＯＰＥＲＡＴＯＲ」ボタン２０１が選択されると「ＡＳＳＩＳＴＡＮＴ」画面を表示し、他のボタン３１０，３１１，３１２が押されると「ＡＳＳＩＳＴＡＮＴ」画面を表示しないことが記憶されている。
【００４９】
「ＯＰＥＲＡＴＯＲ」ボタン２０１以外の他のボタン３１０，３１１，３１２が押されると、図１０に示す「ＰＡＳＳＷＯＲＤ」画面３１が表示される。「ＰＡＳＳＷＯＲＤ」画面３１では、使用者は各操作レベルに応じたパスワードを入力する。正しいパスワードが入力されると、図１１に示す初期設定用の「ＭＡＩＮ  ＭＥＮＵ」画面３２が表示される。この画面３２では、「ＰＲＯＤ．ＳＥＴ」ボタン３２１や「Ｍ／Ｃ  ＳＥＴ」ボタン３２２などの初期設定やメンテナンス作業に必要な操作を行うためのボタンが表示される。また、「ＰＯＷＥＲ」ボタン３３０が押されると、図１２に示すエンジニア用の「ＭＡＩＮ  ＭＥＮＵ」画面３３が表示される。この画面３３では、通常のオペレータ用の「ＭＡＩＮ  ＭＥＮＵ」画面１０の表示内容に加えて上述した組合せ計量装置１の初期設定やメンテナンス作業に必要な操作を行うためのボタン３２１，３２２が表示される。
【００５０】
図９に示す「ＡＣＣＥＳＳ  ＬＥＶＥＬ」画面３０において、「ＯＰＥＲＡＴＯＲ」ボタン２０１が押されると、図１３に示す「ＳＴＡＲＴ―ＵＰ  ＡＳＳＩＳＴＡＮＴ」画面２０が表示される。この画面２０では、アシスタント機能のオン・オフを選択する「ＹＥＳ」ボタン２１０と「ＮＯ」ボタン２１１とが表示される。ここで、「ＮＯ」ボタン２１１が押されると、前述したオペレータ用の「ＭＡＩＮ  ＭＥＮＵ」画面１０が表示される。「ＹＥＳ」ボタン２１０が押されると、図１４から図２２に示す「ＡＳＳＩＳＴＡＮＴ」画面が表示される。
【００５１】
〔「ＡＳＳＩＳＴＡＮＴ」画面〕
以下、「ＡＳＳＩＳＴＡＮＴ」画面について説明する。
【００５２】
図１３に示す「ＳＴＡＲＴ―ＵＰ  ＡＳＳＩＳＴＡＮＴ」画面２０において「ＹＥＳ」ボタン２１０が押されると、図１４に示す「ＰＯＷＥＲ  ＵＰ」画面２１が表示される。「ＰＯＷＥＲ  ＵＰ」画面２１は、オペレータに対してまず「ＰＯＷＥＲ」ボタン２２０を押すことを案内する画面である。この画面では、組合せ計量装置１の３次元モデル２１ａと「ＰＯＷＥＲ」ボタン２２０とが表示される。また、「ＰＯＷＥＲ」ボタンを押す旨の指示や押した場合に組合せ計量装置１の電源がオンされることなどの説明２１ｂが表示されるとともに、「ＰＯＷＥＲ」ボタンを示す矢印２１ｃが表示される。また、「ＰＯＷＥＲ」ボタン２２０は点滅表示される。
【００５３】
「ＰＯＷＥＲ」ボタン２２０が押されると、図１５に示す「ＣＯＮＦＩＲＭ  ＰＲＥＳＥＴ」画面２２が表示される。「ＣＯＮＦＩＲＭ  ＰＲＥＳＥＴ」画面２２は、プリセットされている内容を確認することを案内する画面である。この画面２２では、組合せ計量装置１の３次元モデル２２ａと、現在選択されているプリセットの内容２２ｂと、「ＰＲＥＳＥＴ」ボタン２２１および「ＡＣＣＥＰＴ」ボタン２３０とが表示される。また、現在のプリセットを変更したい場合は「ＰＲＥＳＥＴ」ボタンを押すことを指示する説明２２ｃと「ＰＲＥＳＥＴ」ボタン２２１を示す矢印２２ｄ、及び、現在のプリセットでよい場合は「ＡＣＣＥＰＴ」ボタン２３０を押すことを指示する説明２２ｅと「ＡＣＣＥＰＴ」ボタン２３０を示す矢印２２ｆとが表示される。
【００５４】
「ＰＲＥＳＥＴ」ボタン２２１が押されると、図５に示す「ＳＥＬＥＣＴ  ＰＲＥＳＥＴ」画面１１が表示される。オペレータが希望するプリセットを選択し、「ＥＸＩＴ」ボタン１１１を押すと図１５に示す「ＣＯＮＦＩＲＭ  ＰＲＥＳＥＴ」画面２２へと戻る。
【００５５】
「ＡＣＣＥＰＴ」ボタン２３０が押されると、図１６から図１８に示す「ＷＨ  ＺＥＲＯ  ＡＤＪＵＳＴＭＥＮＴ」画面が表示される。「ＷＨ  ＺＥＲＯ  ＡＤＪＵＳＴＭＥＮＴ」画面は、計量ホッパ５の零点補正を行うことを案内する画面である。
【００５６】
まず、図１６に示す「ＷＨ  ＺＥＲＯ  ＡＤＪＵＳＴＭＥＮＴ」画面２３が表示される。この画面２３では、組合せ計量装置１の３次元モデル２３ａと「ＳＴＡＲＴ」ボタン２４０と「ＥＸＩＴ」ボタン２４１とが表示される。組合せ計量装置１の３次元モデル２３ａの計量ホッパ５を表す部分２３ｂは変色されており、他の部材と区別しやすくなっている。そして、画面２３には、変色された部分が計量ホッパ５であること、「ＳＴＡＲＴ」ボタンを押すと計量ホッパ５の零点補正が行われること、零点補正により計量ホッパ５の計量値が零から開始されることの説明２３ｃが表示される。また、「ＳＴＡＲＴ」ボタン２４０は点滅表示されている。
【００５７】
「ＳＴＡＲＴ」ボタン２４０が押されると、図１７のように零点補正中であることを示す画面２４が表示される。この画面２４では、零点補正が終了するために必要な時間に対してどれくらいの時間が経過したかを示す目盛り２４ａが表示される。また、零点補正を行っている間は待機する旨の説明２４ｂが表示される。さらに、この間は、「ＳＴＡＲＴ」ボタン２４０と「ＥＸＩＴ」ボタン２４１とは入力を受け付けず、「ＳＴＡＲＴ」ボタン２４０と「ＥＸＩＴ」ボタン２４１とに入力が受け付けられない旨のマーク２４ｃ，２４ｄが表示される。
【００５８】
零点補正が終了すると、図１８に示すように零点補正が終了したことを示す画面２５が表示される。この画面２５では、零点補正の終了後「ＥＸＩＴ」ボタン２６０を押して次の画面へ進むことを指示する説明２５ａが表示される。また、「ＥＸＩＴ」ボタン２６０は点滅表示される。
【００５９】
「ＥＸＩＴ」ボタン２６０が押されると図１９から図２１に示す「ＤＦ  ＺＥＲＯ  ＡＤＪＵＳＴＭＥＮＴ」画面２６，２７，２８が表示される。「ＤＦ  ＺＥＲＯ  ＡＤＪＵＳＴＭＥＮＴ」画面２６，２７，２８は、分散フィーダ２の零点補正を行うことを案内する画面である。
【００６０】
まず、図１９に示す画面２６では、組合せ計量装置１の３次元モデル２６ａと「ＳＴＡＲＴ」ボタン２７０と「ＥＸＩＴ」ボタン２７１とが表示される。組合せ計量装置１の３次元モデル２６ａは、分散フィーダ２に該当する部分２６ｂが変色されており、他の部材と区別しやすくなっている。また、変色された部分２６ｂが分散フィーダ２であること、分散フィーダ２上に被計量物が無いことを確認して「ＳＴＡＲＴ」ボタン２７０を押すこと、これにより分散フィーダ２の零点補正が行われること、分散フィーダ２上に被計量物がある場合は、「ＥＸＩＴ」ボタン２７１を押して次の画面へと進むことを示す説明２６ｃが表示される。また、「ＳＴＡＲＴ」ボタン２７０は点滅表示される。
【００６１】
「ＳＴＡＲＴ」ボタン２７０が押されると、計量ホッパ５の零点補正を行う場合と同様に、図２０および図２１に示すような零点補正中であることを示す画面２７と零点補正が終了したことを示す画面２８とが順に表示される。
【００６２】
零点補正が終了したことを示す画面２８が表示された後、または図１９に示す画面２６において「ＥＸＩＴ」ボタン２７１が押された場合には、図２２に示す「ＰＲＯＤＵＣＴＩＯＮ  ＳＴＡＮＤＢＹ」画面２９が表示される。「ＰＲＯＤＵＣＴＩＯＮ  ＳＴＡＮＤＢＹ」画面２９は、商品の計量を行う準備が整ったことを案内する画面である。この画面２９では、組合せ計量装置１の３次元モデル２９ａと現在選択されているプリセットの内容２９ｂとが表示される。また、「ＳＴＡＲＴ」ボタン２９０と、「ＳＴＡＲＴ」ボタン２９０を押すことを指示する矢印２９ｃとが表示される。
【００６３】
「ＳＴＡＲＴ」ボタン２９０が押されるとアシスタント機能が終了し、組合せ計量が開始される。
【００６４】
なお、「ＡＳＳＩＳＴＡＮＴ」画面には「ＡＳＳＩＳＴＡＮＴ」ボタン２００が表示されており、ＡＳＳＩＳＴＡＮＴボタンが押されると、アシスタント機能がオフされ「ＡＳＳＩＳＴＡＮＴ」画面の途中でも「ＭＡＩＮ  ＭＥＮＵ」画面１０へと進むことができる。
【００６５】
「ＭＡＩＮ  ＭＥＮＵ」画面１０や「ＰＲＯＤＵＣＴＩＯＮ  ＳＴＡＮＤＢＹ」画面２９において「ＳＴＡＲＴ」ボタン１７０，２９０が押されて組合せ計量が開始されると、図２３に示す「ＰＲＯＤＵＣＴＩＯＮ」画面４０が表示される。この画面４０では、計量ホッパ５の３次元モデル４０ａと現在選択されているプリセットの内容４０ｂとが表示される。計量ホッパ５の３次元モデル４０ａは、実際の計量ホッパ５と同様に円形に配置されており、組合せ計量に参加する選択された計量ホッパ５、組合せに参加しない計量ホッパ５、空の計量ホッパ５などにはそれぞれ対応するマーク４０ｃが表示される。また、どのマークがどのような状態を示すかを説明する対応図４０ｄが計量ホッパ５の３次元モデル４０ａの側方に表示される。また、組合せ計量により組合された計量ホッパ５の被計量物の合計重量４０ｅが表示される。画面４０に表示されている「ＳＴＯＰ」ボタン４０１が押されると、前述したオペレータ用の「ＭＡＩＮ  ＭＥＮＵ」画面１０が表示される。
【００６６】
なお、アシスタント機能がオンされている場合は、「ＭＡＩＮ  ＭＥＮＵ」画面１０が表示されている状態で一定時間操作されずに放置されると、自動的に図１６に示す「ＷＨ  ＺＥＲＯ  ＡＤＪＵＳＴＭＥＮＴ」画面２３が表示され、再度、零点補正を行うように案内される。
【００６７】
＜特徴＞
（１）この組合せ計量装置１では、オペレータは、「ＡＳＳＩＳＴＡＮＴ」画面に示される手順通りに操作を行えばよい。このため、この組合せ計量装置１では、組合せ計量装置１の操作に不慣れなオペレータであっても適切に組合せ計量装置１の操作を行うことが出来る。組合せ計量装置１の使用者のうち、商品の製造作業を行うオペレータは、計量装置についての専門知識は有していないことが多く、正確な計量を行うためには計量前に零点補正を行う必要があることを理解していない場合もある。また、ほとんどのオペレータがこのような操作を理解している場合であっても、組合せ計量装置１を使用した経験が浅いオペレータが操作する場合には、零点補正を行うことを忘れることもある。これでは、計量値に誤差が生じる恐れがある。また、オペレータが、プリセットの選択を誤ったり、プリセットの選択を忘れたりする場合もありうる。しかし、この組合せ計量装置１では、「ＡＳＳＩＳＴＡＮＴ」画面で操作手順が案内される。また、「ＡＳＳＩＳＴＡＮＴ」画面では、不必要な操作ボタンは表示されず、必要な操作ボタンが点滅表示されるなどして分かりやすく表示される。さらに、「ＡＳＳＩＳＴＡＮＴ」画面で示されている操作内容の意義や操作を行った場合の結果などの説明も表示される。このため、この組合せ計量装置１では、上記のような不慣れなオペレータであっても、操作内容や操作手順を容易に理解することができ、適切に組合せ計量装置１の操作を行うことが出来る。
【００６８】
（２）この組合せ計量装置１では、「ＡＳＳＩＳＴＡＮＴ」画面や他の操作画面において組合せ計量装置１が３次元的に表示され、さらに操作が行われている部分が変色される。また、組合せ計量装置１の動作がアニメーションで表示される。このため、オペレータは、実際の組合せ計量装置１の動作を画面上のアニメーションにより確認することができ、操作内容をより容易に理解することができる。これにより、組合せ計量装置１に不慣れなオペレータであっても適切に組合せ計量装置１の操作を行うことが出来る。
【００６９】
（３）この組合せ計量装置１では、「ＳＴＡＲＴ―ＵＰ  ＡＳＳＩＳＴＡＮＴ」画面２０、「ＡＣＣＥＳＳ  ＬＥＶＥＬ」画面３０、「ＡＳＳＩＳＴＡＮＴ」ボタン２００により、アシスタント機能のオン・オフを選択することができる。「ＡＳＳＩＳＴＡＮＴ」画面は、操作手順を案内してくれるため適切な操作を行うことができる点で便利であるが、オペレータによっては、組合せ計量装置１の操作内容を熟知しており案内画面が不要の場合もある。この組合せ計量装置１では、「ＡＳＳＩＳＴＡＮＴ」画面が不要の場合はアシスタント機能をオフにすればよく、「ＡＳＳＩＳＴＡＮＴ」画面が必要な場合にはアシスタント機能をオンにすればよい。このため、「ＡＳＳＩＳＴＡＮＴ」画面がなくても適切な操作を行うことができるオペレータの場合は、「ＡＳＳＩＳＴＡＮＴ」画面を省略し、直接「ＭＡＩＮ  ＭＥＮＵ」画面１０から操作を行い、効率的に組合せ計量装置１の操作を行うことができる。
【００７０】
特に、図９に示す「ＡＣＣＥＳＳ  ＬＥＶＥＬ」画面３０では、「ＯＰＥＲＡＴＯＲ」ボタン２０１以外の他のボタンが押されると「ＡＳＳＩＳＴＡＮＴ」画面には進まない。操作レベルがあまり高くないと考えられるオペレータレベルでは、「ＡＳＳＩＳＴＡＮＴ」画面の要否を選択する「ＳＴＡＲＴＵＰ  ＡＳＳＩＳＴＡＮＴ」画面２０を表示した上で「ＡＳＳＩＳＴＡＮＴ」画面が表示され、操作レベルが高いと考えられる他のレベルでは「ＡＳＳＩＳＴＡＮＴ」画面は表示されない。つまり、この組合せ計量装置１では、使用者が、「ＡＣＣＥＳＳ  ＬＥＶＥＬ」画面３０で自分が該当するボタンを押すと、メモリ８０が記憶する使用者のレベルに対応した「ＡＳＳＩＳＴＡＮＴ」画面の表示の可否に基づいて、「ＡＳＳＩＳＴＡＮＴ」画面が表示される。これにより、使用者の操作レベルに応じて効率的に組合せ計量装置１の操作を行うことができる。
【００７１】
＜他の実施形態＞
上記の実施形態では組合せ計量装置１に対して本発明が採用されているが、他の商品製造装置に採用されてもよい。例えば、商品をフィルムで覆って包装する包装装置に対して、本発明が採用されてもよい。すなわち、フィルムのセットや包装動作の手順など、包装装置の操作内容を手順通りに案内する「ＡＳＳＩＳＴＡＮＴ」画面を包装装置のタッチパネルに表示し、包装装置の３次元モデルをタッチパネル上に表示してもよい。また、重量チェッカー、金属検出器、Ｘ線検査機器などの完成した商品の品質を検査する品質検査機器や完成した商品を箱詰めするダンボールケーサ等についても同様である。
【００７２】
【発明の効果】
本発明にかかる組合せ計量装置または包装装置では、表示部が、組合せ計量装置または包装装置の操作内容を手順通りに案内する案内画面を表示する。このため、組合せ計量装置または包装装置の使用者は、案内画面の案内に従って操作内容を入力すればよい。これにより、この組合せ計量装置または包装装置では、不慣れな使用者であっても適切に操作を行うことが出来る。なお、商品製造ラインに配置される組合せ計量装置または包装装置は、比較的複雑な動作を行うものが多く、入力する操作内容も複雑になることが多いため、本発明は特に有効である。
【図面の簡単な説明】
【図１】  組合せ計量装置の外観図。
【図２】  組合せ計量装置の構成を示す側面視概略図。
【図３】  制御のブロック図。
【図４】  「ＭＡＩＮ  ＭＥＮＵ」画面の図。
【図５】  「ＳＥＬＥＣＴ  ＰＲＥＳＥＴ」画面の図。
【図６】  「ＺＥＲＯ  ＡＤＪＵＳＴＭＥＮＴ」画面の図。
【図７】  「ＤＲＡＩＮ」画面の図。
【図８】  「ＦＵＬＬ  ＯＰＥＮ  ＬＯＣＫ  ＭＥＮＵ」画面の図。
【図９】  「ＡＣＣＥＳＳ  ＬＥＶＥＬ」画面の図。
【図１０】  「ＰＡＳＳＷＯＲＤ」画面の図。
【図１１】  初期設定用の「ＭＡＩＮ  ＭＥＮＵ」画面の図。
【図１２】  エンジニア用の「ＭＡＩＮ  ＭＥＮＵ」画面の図。
【図１３】  「ＳＴＡＲＴ―ＵＰ  ＡＳＳＩＳＴＡＮＴ」画面の図。
【図１４】  「ＰＯＷＥＲ  ＵＰ」画面の図。
【図１５】  「ＣＯＮＦＩＲＭ  ＰＲＥＳＥＴ」画面の図。
【図１６】  「ＷＨ  ＺＥＲＯ  ＡＤＪＵＳＴＭＥＮＴ」画面の図。
【図１７】  零点補正中であることを示す「ＷＨ  ＺＥＲＯ  ＡＤＪＵＳＴＭＥＮＴ」画面の図。
【図１８】  零点補正が終了したことを示す「ＷＨ  ＺＥＲＯ  ＡＤＪＵＳＴＭＥＮＴ」画面の図。
【図１９】  「ＤＦ  ＺＥＲＯ  ＡＤＪＵＳＴＭＥＮＴ」画面の図。
【図２０】  零点補正中であることを示す「ＤＦ  ＺＥＲＯ  ＡＤＪＵＳＴＭＥＮＴ」画面の図。
【図２１】  零点補正が終了したことを示す「ＤＦ  ＺＥＲＯ  ＡＤＪＵＳＴＭＥＮＴ」画面の図。
【図２２】  「ＰＲＯＤＵＣＴＩＯＮ  ＳＴＡＮＤＢＹ」画面の図。
【図２３】  「ＰＲＯＤＵＣＴＩＯＮ」画面の図。
【符号の説明】
１          組合せ計量装置
２０        「ＳＴＡＲＴ―ＵＰ  ＡＳＳＩＳＴＡＮＴ」画面（選択手段）
３０        「ＡＣＣＥＳＳ  ＬＥＶＥＬ」画面（選択手段）
７０        タッチパネル（表示部、操作部）
８０        メモリ（記憶手段）
２００      「ＡＳＳＩＳＴＡＮＴ」ボタン（選択手段）
【図１】
0003986354.tif 000002
【図２】
0003986354.tif 000003
【図３】
0003986354.tif 000004
【図４】
0003986354.tif 000005
【図５】
0003986354.tif 000006
【図６】
0003986354.tif 000007
【図７】
0003986354.tif 000008
【図８】
0003986354.tif 000009
【図９】
0003986354.tif 000010
【図１０】
0003986354.tif 000011
【図１１】
0003986354.tif 000012
【図１２】
0003986354.tif 000013
【図１３】
0003986354.tif 000014
【図１４】
0003986354.tif 000015
【図１５】
0003986354.tif 000016
【図１６】
0003986354.tif 000017
【図１７】
0003986354.tif 000018
【図１８】
0003986354.tif 000019
【図１９】
0003986354.tif 000020
【図２０】
0003986354.tif 000021
【図２１】
0003986354.tif 000022
【図２２】
0003986354.tif 000023
【図２３】
0003986354.tif 000024